(57)【要約】【課題】粘着層を備えていないテープが卓上型テープディスペンサから過度に引き出されことを抑制し、所望の長さ分だけ容易に引き出すことを可能とすると共に、既存のテープディスペンサに対して後から容易に取り付けることが可能なテープ引出し抑制具を提供する。【解決手段】本考案のテープ引出し抑制具１０は、テープを挿通する開口１５が設けられたテープ保持部１１と、このテープ保持部を卓上型テープディスペンサへ取り付ける装着面を有する止着部１２とから構成され、テープ保持部と止着部との境界に、曲折可能とする折り筋１３を備える。このテープ引出し抑制具１０は、平板状をした薄厚部材を用いて一体的に形成することができる。また、テープ保持部は、卓上型テープディスペンサの切断刃とリールの間に止着部を取り付けたとき、粘着層を備えていないテープに対して張力を付与することとなる位置に開口が設けられたものとなっている。【選択図】図１
0003226065.tif 000002
【実用新案登録請求の範囲】
【請求項１】
粘着層を備えていないテープが多重に巻き付けられたテープロールを回転可能に保持する卓上型テープディスペンサに取り付け、前記テープを所望の長さに引き出して切断する際に用いる道具であって、
テープを挿通する開口が設けられたテープ保持部と、
前記テープ保持部を卓上型テープディスペンサへ取り付ける装着面を有する止着部と、
から構成され、
前記テープ保持部は、前記止着部を卓上型テープディスペンサへ取り付けたとき、前記テープに対して張力を付与することとなる位置に前記開口を有する、
ことを特徴とするテープ引出し抑制具。
【請求項２】
上記テープ保持部と上記止着部は、平板状をした薄厚部材を用いて一体的に形成され、当該テープ保持部と当該止着部との境界に、曲折可能とする折り筋を備えることを特徴とする請求項１に記載のテープ引出し抑制具。
【請求項３】
上記テープ保持部と上記止着部は、所定の角度を有して一体的に形成された曲折部材からなることを特徴とする請求項１に記載のテープ引出し抑制具。
【請求項４】
上記テープ保持部と上記止着部は、平板状をした薄厚部材を用いて別々に形成され、当該テープ保持部に対して当該止着部が曲折可能となるように互いに連結されていることを特徴とする請求項１に記載のテープ引出し抑制具。
【請求項５】
上記テープ保持部は、平板状をした薄厚部材を用いて形成され、
上記止着部は、厚さ方向に平坦な側面を有する立体部材を用いて形成され、
当該テープ保持部は、当該止着部の厚さ方向の側面に取り付けられていることを特徴とする請求項１に記載のテープ引出し抑制具。
【請求項６】
上記止着部は、装着面に粘着層を備え、当該粘着層は剥離紙で覆われていることを特徴とする請求項２乃至５の何れか１項に記載のテープ引出し抑制具。
【請求項７】
上記止着部は、装着面にマグネットを備えることを特徴とする請求項２乃至５の何れか１項に記載のテープ引出し抑制具。
【請求項８】
上記止着部は、マグネットから構成されていることを特徴とする請求項５に記載のテープ引出し抑制具。
【請求項９】
上記テープ保持部は、上記開口を複数備えることを特徴とする請求項１乃至８の何れか１項に記載のテープ引出し抑制具。
【請求項１０】
粘着層を備えていないテープが多重に巻き付けられたテープロールを回転可能に保持し、引き出されたテープを所望の長さに切断するための卓上型テープディスペンサであって、
前記テープロールの内径部に配される回転体と、
前記テープを切断する切断刃と、
前記回転体を回転可能に保持すると共に、前記切断刃を固定して支持するディスペンサ本体と、
前記回転体が保持される一方の位置と前記切断刃が支持される他方の位置との間に設けられた、テープロールから引き出されたテープを挿通させることで当該テープに対して張力を付与する、上記請求項１乃至９の何れか１項に記載のテープ引出し抑制具と、
を備えていることを特徴とする卓上型テープディスペンサ。
【請求項１１】
上記ディスペンサ本体は、
上記回転体を回転可能に保持する一方の位置に設けられた回転体支持部と、
上記切断刃を支持する他方の位置に設けられた切断刃架台部と、
上記回転体支持部と前記切断刃架台部とに連設された台座部と、
から構成され、
上記テープ引出し抑制具が、前記切断刃架台部に取り付けられていることを特徴とする請求項１１に記載の卓上型テープディスペンサ。
【請求項１２】
上記ディスペンサ本体は、
上記回転体を回転可能に保持する一方の位置に設けられた回転体支持部と、
上記切断刃を支持する他方の位置に設けられた切断刃架台部と、
上記回転体支持部と前記切断刃架台部とに連設された台座部と、
から構成され、
上記テープ引出し抑制具は、止着部が前記ディスペンサ本体の切断刃架台部側を向くように前記台座部に取り付けられていることを特徴とする請求項１１に記載の卓上型テープディスペンサ。
【請求項１３】
上記ディスペンサ本体は、
上記回転体を回転可能に保持する一方の位置に設けられた回転体支持部と、
上記切断刃を支持する他方の位置に設けられた切断刃架台部と、
上記回転体支持部と前記切断刃架台部とに連設された台座部と、
から構成され、
上記テープ引出し抑制具は、止着部が前記ディスペンサ本体の回転体支持部側を向くように前記台座部に取り付けられていることを特徴とする請求項１１に記載の卓上型テープディスペンサ。
【考案の詳細な説明】
【技術分野】
【０００１】
本願考案は、卓上型テープディスペンサに保持された、粘着層を備えていないテープを所望の長さ分だけ容易に引き出すことを可能とした技術に係り、詳しくは、テープが卓上型テープディスペンサから過度に引き出されないように抑制するようにしたテープ引出し抑制具と、このテープ引出し抑制具を備える卓上型テープディスペンサに関する。
【背景技術】
【０００２】
薄くて細長い帯状のテープが多重に巻き付けられたテープロールから、当該テープを所望の長さに引き出して切断する事務用品の一つとして、机やテーブル等に載置して使用される卓上型テープディスペンサもしくは卓上型テープカッタが知られている。
【０００３】
この卓上型テープディスペンサは、一般的に、テープロールの内径部に配されるリール又はプーリと称される回転体と、このテープを切断する切断刃（カッタ）と、回転体を回転可能に保持すると共に、切断刃を固定して支持する基体とを備えることにより構成されている。
すなわち、卓上型テープディスペンサは、基体の一方側に配された回転体にテープを装着し、適当な長さまで引き出した後、基体の他方側に配された切断刃によって切断することで、使用に供される長さのテープを得ることができるとするものである。
【０００４】
ところが、従来の卓上型テープディスペンサは、一面に粘着層を備えたテープを対象として、所望の長さ分だけ引き出して切断するようにしたものであるため、粘着層を備えていないテープを所望の長さ分だけ引き出して切断しようとするとき、テープが必要以上に長く引き出されてしまうといった不都合があった。
【０００５】
つまり、回転体に支持されたテープロールは回転し易い構造となっており、テープの引き出し動作に伴う力は、テープロールを介して回転体に伝達され、回転体を回転させてテープの引き出しを可能とするものとなっている。そのため、一面に粘着層を備えたテープの場合、テープの引き出し動作に伴う力は、粘着層の粘着力によって軽減されることでテープロールの引き出し（回転体の回転）が抑制されるものと思料されるが、粘着層を備えていないテープの場合、テープの引き出し動作に伴う力の軽減が何らないため、テープロールの引き出しは抑制されずに、テープが必要以上に長く引き出されてしまうものとなっている。
【０００６】
また、テープの引き出し動作を抑制するものとして、粘着テープの粘着面と反対側の面を擦る引き出しガイドを通して引き出した粘着テープのテープ粘着面が一時的に接触し、テープの引き出し動作にブレーキがかかるようにしたテープ端突出ガイドを備える卓上型のテープディスペンサが提案されている（特許文献１を参照）。
【０００７】
しかしながら、このテープディスペンサは、粘着テープの粘着面がテープ端突出ガイドに接触することで、テープの引き出しにブレーキがかかるようにしたものであって、粘着層（面）を備えていないテープの場合、テープの一面がテープ端突出ガイドに接触しても、テープの引き出しにブレーキがかかるものではなく、テープが必要以上に長く引き出されてしまうといった不都合は解消されないものと思料される。
【０００８】
また、このテープ端突出ガイドは、既存のテープディスペンサに対して後から容易に取り付けることが可能な構成とはなっていない。
さらに、テープディスペンサにおいてテープ端突出ガイドの設置位置は特定されており、設置位置の変更によってテープの引き出し抑制の程度を変えるといった自由度が備わっていない。しかも、このテープディスペンサは、テープ端突出ガイドを使用しない構成とすることができないため、テープの種類によってはテープ端突出ガイドが邪魔になってしまうおそれがある。
【先行技術文献】
【特許文献】
【０００９】
【特許文献１】特開平１０−５９６０９号公報
【考案の概要】
【考案が解決しようとする課題】
【００１０】
本考案は、上記事情に鑑みて成されたものであり、粘着層を備えていないテープが卓上型テープディスペンサから過度に引き出されことを抑制し、所望の長さ分だけ容易に引き出すことを可能とすると共に、既存のテープディスペンサに対して後から容易に取り付けることが可能なテープ引出し抑制具と、このテープ引出し抑制具を備える卓上型テープディスペンサを提供することを目的とする。
【課題を解決するための手段】
【００１１】
本考案に係るテープ引出し抑制具は、粘着層を備えていないテープが多重に巻き付けられたテープロールを回転可能に保持する卓上型テープディスペンサに取り付け、当該卓上型テープディスペンサに保持されたテープロールからテープを所望の長さに引き出して切断する際に用いる道具である。このテープ引出し抑制具は、テープを挿通する開口が設けられたテープ保持部と、このテープ保持部を卓上型テープディスペンサへ取り付ける装着面を有する止着部とから構成され、テープ保持部は、止着部を卓上型テープディスペンサへ取り付けたとき、テープに対して張力を付与することとなる位置に開口を有することを基本的な特徴とする。
【００１２】
すなわち、本考案に係るテープ引出し抑制具は、止着部の装着面を既存の卓上型テープディスペンサへ後から取り付け、テープ保持部の開口の中に粘着層を備えていないテープを挿通することで、テープを所望の長さ分を引き出して切断するとき、引き出したテープに対して張力を付与することとなる位置に、テープ保持部の開口が設けられたものとなっている。
【００１３】
この開口は一つだけに限らず、並列に複数備えるものとしても良い。これにより、開口の位置、すなわち、どの開口を挿通させるかによって、テープに対して付与する張力の強さに変化をもたらし、テープの引き出し抑制の程度を変えるといった自由度を備えるものとすることができる。
【００１４】
本考案に係るテープ引出し抑制具において、テープ保持部と止着部は、平板状をした薄厚部材を用いて一体的に形成され、当該テープ保持部と当該止着部との境界に、曲折可能とする折り筋を備える構成とすることができる。
【００１５】
また、本考案に係るテープ引出し抑制具において、テープ保持部と止着部は、所定の角度を有して一体的に形成された薄厚の曲折部材からなる他の構成とすることもできる。
【００１６】
また、本考案に係るテープ引出し抑制具において、テープ保持部と止着部は、平板状をした薄厚部材を用いて別々に形成され、当該テープ保持部に対して当該止着部が曲折可能となるように互いに連結されている他の構成としても良い。この際、テープ保持部と止着部の連結は既知の手段で良く、たとえば、フィルムの貼付によるものや、蝶番を用いるものとすることができる。
【００１７】
また、本考案に係るテープ引出し抑制具において、テープ保持部は、平板状をした薄厚部材を用いて形成され、止着部は、厚さ方向に平坦な側面を有する立体部材を用いて形成され、当該テープ保持部が、当該止着部の厚さ方向の側面に取り付けられている他の構成としても良い。
【００１８】
上述したテープ引出し抑制具において、止着部は、装着面に粘着層を備え、当該粘着層は剥離紙で覆われているものとすることができる。すなわち、卓上型テープディスペンサへ取り付けは、装着面に接着剤等を塗布することにより行うものとしても良いが、装着面に予め粘着層を設けたものとすることで、効率良く容易に卓上型テープディスペンサへ取り付けを行うことができるものとなる。
【００１９】
また、上述したテープ引出し抑制具において、止着部は、装着面にマグネットを備えるもの、もしくは止着部がマグネットから構成されているものとすることもできる。すなわち、卓上型テープディスペンサの基体が鉄などの強磁性体材料を用いて形成されている場合、マグネットの磁力によって効率良く容易に卓上型テープディスペンサへ取り付けを行うことができるものとなる。
【００２０】
本考案に係る卓上型テープディスペンサは、粘着層を備えていないテープが多重に巻き付けられたテープロールを回転可能に保持し、当該テープロールから引き出されたテープを所望の長さに切断する事務用品であって、テープロールの内径部に配される回転体と、テープを切断する切断刃と、回転体を回転可能に保持すると共に、切断刃を固定して支持するディスペンサ本体と、上述した本考案に係るテープ引出し抑制具を備えていることを特徴とする。
【００２１】
すなわち、上述した卓上型テープディスペンサにおいて、テープ引出し抑制具は、回転体が保持される一方の位置と切断刃が支持される他方の位置との間に設けられ、テープ保持部の開口にテープロールから引き出されたテープを挿通させることで、当該テープに対して張力を付与するものとなっている。このテープ引出し抑制具は、予め卓上型テープディスペンサと一体に構成されたものとしても良いし、後から取り付けることで卓上型テープディスペンサと一体に構成されるものとしても良い。
【００２２】
本考案に係る卓上型テープディスペンサにおいて、ディスペンサ本体は、回転体を回転可能に保持する一方の位置に設けられた回転体支持部と、切断刃を支持する他方の位置に設けられた切断刃架台部と、回転体支持部と切断刃架台部とに連設された台座部とから構成され、テープ引出し抑制具は、止着部が切断刃架台部に取り付けられているもの、又は止着部がディスペンサ本体の切断刃架台部側を向くように、もしくは回転体支持部側を向くように、台座部に取り付けられているものとすることができる。
【考案の効果】
【００２３】
本考案に係るテープ引出し抑制具は、テープ保持部と止着部とから構成され、止着部を既存の卓上型テープディスペンサに対して後から容易に取り付けることが可能であると共に、卓上型テープディスペンサへ取り付けたとき、テープに対して張力を付与することとなる位置に、テープ保持部の開口を有するものとなっている。ゆえに、テープ保持部の開口の中に粘着層を備えていないテープを挿通することで、テープの一面が開口縁部に接して当該テープに対して張力が付与され、テープを引き出すときにこの張力によってテープが引き出されることを抑制し、粘着層を備えていないテープを所望の長さ分だけ容易に切断することが可能となる。
【００２４】
また、本考案に係るテープ引出し抑制具は、卓上型テープディスペンサに対して後から取り付けることが可能なものであるため、卓上型テープディスペンサに対する取り付け位置は特定されておらず、取り付け位置を自由に選択することで、テープの引き出し抑制の程度を変えることができるものとなる。
【００２５】
しかも、本考案に係るテープ引出し抑制具を備える卓上型テープディスペンサは、テープの種類に応じてテープ引出し抑制具の使用の有無を選択することができるので、一面に粘着層を備える粘着テープであっても、粘着層を備えていないテープであっても、何ら支障なく保持して使用することができる。
【図面の簡単な説明】
【００２６】
【図１】本考案に係るテープ引出し抑制具を示す、（Ａ）正面図、（Ｂ）側面図である。
【図２】本考案に係るテープ引出し抑制具の用い方を説明する左側面図である。
【図３】本考案に係るテープ引出し抑制具の他の構造を示す左側面図である。
【図４】本考案に係るテープ引出し抑制具の他の構造を示す左側面図である。
【図５】本考案に係るテープ引出し抑制具の他の構造を示す斜視図である。
【図６】本考案に係るテープ引出し抑制具を卓上型テープディスペンサに取り付けた状態を示す上方からの斜視図である。
【図７】図６に示す卓上型テープディスペンサの右側面図である。
【図８】本考案に係るテープ引出し抑制具を卓上型テープディスペンサに取り付けた他の状態を示す上方からの斜視図である。
【図９】図８に示す卓上型テープディスペンサの右側面図である。
【図１０】本考案に係るテープ引出し抑制具を卓上型テープディスペンサに取り付けた他の状態を示す上方からの斜視図である。
【図１１】図１０に示す卓上型テープディスペンサの右側面図である。
【考案を実施するための形態】
【００２７】
本考案に係るテープ引出し抑制具は、机やテーブル等に載置される卓上型テープディスペンサ（以下、単に「テープディスペンサ」という。）に対して取り付け可能とし、当該テープディスペンサに保持された、テープが多重に巻き付けられたテープロールから当該テープを所望の長さに引き出して切断する際に用いる事務用品の部品もしくは付属品である。
【００２８】
また、本考案に係る卓上型テープディスペンサは、当該テープディスペンサより引き出されたテープに張力（テンション）をかける手段を設けることにより、テープの回転を抑えてスムーズに切断できるようにしたものであって、本考案に係るテープ引出し抑制具を備えることで、テープディスペンサより引き出された粘着層を備えていないテープからなるテープロールを回転可能に保持すると共に、当該テープに張力を付与することとなる事務用品である。
【００２９】
以下、本考案に係るテープ引出し抑制具と、このテープ引出し抑制具を備える卓上型テープディスペンサの実施の形態の一例について、図面に基づき説明する。
なお、以下に述べる実施の形態は、本考案の好適な具体例であるため技術的に種々の限定が付されているが、本考案の範囲は、以下の説明において特に限定する旨の記載がない限り、これらの形態に限られるものではない。
【００３０】
図１及び図２に示すように、本実施の形態におけるテープ引出し抑制具１０は、テープを挿通する開口１５が設けられたテープ保持部１１と、このテープ保持部１１を卓上型テープディスペンサへ取り付ける装着面１２ｍを有する止着部１２とを少なくとも備える。
【００３１】
このテープ引出し抑制具１０は、素材に応じて、平板状をした薄厚部材を用いて一体的に形成され、当該テープ保持部１１と当該止着部１２との境界に、曲折可能とする折り筋１３を備えるもの、もしくはテープ保持部１１と止着部１２が、所定の角度を有して一体的に形成された薄厚の曲折部材とすることができる。
【００３２】
図２においてテープ引出し抑制具１０は、テープ保持部１１と当該止着部１２とが直線状に位置する平面状態から、折り筋１３において止着部１２を直角に折り曲げられるものとして示されている。
【００３３】
また、テープ引出し抑制具１０は、平板状をした薄厚部材を用いてテープ保持部１１と止着部１２とを一体的に形成されたものとせずに、たとえば、図示しないが、平板状をした薄厚部材を用いて別々に形成し、テープ保持部１１に対して止着部１２が曲折可能となるように、たとえば、フィルムや蝶番を用いて互いに連結されたものとしても良い。
【００３４】
テープ引出し抑制具１０において、テープ保持部１１は、止着部１２（の装着面１２ｍ）をテープディスペンサへ取り付けたとき、テープに対して張力を付与することとなる位置に開口１５を有するものとなっている。この開口１５は、テープの挿通を可能とする形状及び大きさを有するものであって、テープ保持部１１において複数備えるものとすることができる。
【００３５】
図においてテープ保持部１１は、横長楕円形をした二つの開口部１５Ｕ，１５Ｄが上下に並列に設けられたもの、すなわち、上方の開口１５Ｕと、下方の開口１５Ｄを備えるものとして示されている。
【００３６】
本考案では、止着部１２に接着剤等を塗布することで、テープディスペンサへ取り付けるものとしても良いが、たとえば、図３に示すように、止着部１２の装着面１２ｍに粘着層２１を備え、さらに粘着層２１が剥離紙２２で覆われているテープ引出し抑制具２０としても良い。これにより、テープディスペンサへ取り付けが容易に行えるものとなる。
【００３７】
また、本考案では、テープディスペンサの素材に応じて、たとえば、図４に示すように、止着部１２の装着面１２ｍにマグネット３１を備えるテープ引出し抑制具３０としても良い。これによっても、テープディスペンサへ取り付けが容易に行えるものとなる。
【００３８】
さらに、本考案では、止着部自体がマグネットから構成されたものとしても良い。たとえば、図５に示すように、テープ引出し抑制具４０は、テープ保持部４１が、平板状をした薄厚部材を用いて形成され、止着部４２が、厚さ方向に平坦な側面４２ｓを有する立体部材を用いて形成され、テープ保持部４１は、止着部４２の厚さ方向の側面４２ｓに取り付けられているものとしても良い。
【００３９】
以上のように構成したテープ引出し抑制具１０，２０，３０，４０は何れも、既存のテープディスペンサに対して所望の位置に取り付けることが可能であり、粘着層を備えていないテープ（テープロール）を回転可能に保持し、当該テープロールから引き出されたテープを所望の長さに切断するために用いられる。
【００４０】
また、図６乃至図１１に示すように、本実施の形態におけるテープディスペンサ１００，１１０，１２０は何れも、多重に巻き付けられた粘着層を備えていないテープ（テープロール）Ｔの内径部に配される回転体（以下、「リール」という。）１０２と、テープＴを切断する切断刃１０３と、リール１０２を回転可能に保持すると共に、切断刃１０３を固定して支持するディスペンサ本体１０１と、リール１０２が保持される一方の位置と切断刃１０３が支持される他方の位置との間に設けられた、上述した本考案のテープ引出し抑制具１０（２０，３０，４０）とを備える。
【００４１】
テープディスペンサ１００，１１０，１２０に装着するテープＴは、粘着層を備えていない細幅にカットした長尺帯状体であり、たとえば、基材（材料）として柔軟性のあるクラフト紙を用いるものとすることができる。また、テープ本体の基材としては、クラフト紙以外の紙のほか、布やプラスチックフィルム、金属箔、平織帯状のガラス繊維などを用いたものとしても良い
また、このテープＴは、巻芯にロール状に巻かれているテープロールであっても良いし、巻芯を用いないコアレスのテープロールであっても良い。
【００４２】
ディスペンサ本体１０１は、たとえば、リール１０２を回転可能に保持する一方の位置に設けられた回転体支持部１０５と、切断刃１０３を支持する他方の位置に設けられた切断刃架台部１０６と、回転体支持部１０５の下部と切断刃架台部１０６の下部とに連設された台座部１０４とを有して構成されたものとすることができる。すなわち、回転体支持部１０５と切断刃架台部１０６は、台座１０４の上に設けられたものとなっている。
【００４３】
台座部１０４の上方であって、回転体支持部１０５と切断刃架台部１０６との間には、凹状をした切欠き部が形成されている。この切欠き部は、使用者がテープＴを引き出すときに指を挿し込むこととなる部分である。この切欠き部の形状は、テープＴがつまみ出せる形状であれば任意の形状とすることができる。
【００４４】
また、回転体支持部１０５は、一方の側面と他方の側面との間に、テープロールＴを収容するための凹状をした空間１０８が設けられており、この空間１０８の内壁面には、リール１０２の支軸が嵌まるように構成された溝１０９が形成されたものとなっている。ゆえに、使用者がテープＴの先端Ｔａを引き出すと、回転体支持部１０５に保持されたリール１０２が支軸を介して回転することで、テープＴを引出すことができるようになっている。
【００４５】
なお、図示しないが、ディスペンサ本体１０１の底面１０７には、テープＴを切断するときの力でテープディスペンサ１００（１１０，１２０）が位置ズレして移動したり、転倒したりすることがないように、クロロプレンなどのゴムシートで形成された滑り止めシートが設けられたものとなっている。
このようなディスペンサ本体１０１は、ＡＢＳなどの合成樹脂のほか、鉄などの金属、あるいは木材などを用いて形成することができる。
【００４６】
切断刃１０３は、引き出されたテープＴを切断する板体状のものであって、一辺に鋭利な形状をした複数の凸状歯が連続して形成された鋸歯型をしている。この切断刃１０３は、たとえば、０．２ｍｍから０．５ｍｍ程度の厚みをしたステンレス鋼等の金属製薄板を用いて製造することができるが、これに限らずプラスチック製であってもよい。
また、切断刃１０３は、切断刃架台部１０６の頂部に圧入やネジ止め等の適宜の手段によって固定して取り付けられたものとなっている。
【００４７】
そして、図６及び図７において、テープディスペンサ１００は、並列に配された二つの開口１５Ｕ，１５Ｄを有するテープ保持部１１を備えるテープ引出し抑制具１０が、切断刃架台部１０６の回転体支持部１０５側の側面に、止着部１２を取り付けたものとして示されている。この際、テープＴの先端Ｔａは、図７中に一点鎖線で示すように、たとえば、テープ保持部１１に設けられた下方の開口１５Ｄを挿通するものとすることができる。
【００４８】
これにより、このテープディスペンサ１００では、テープ引出し抑制具１０によってテープＴを、切断刃架台部１０６寄りにて低い位置に押し下げるように保持してテープＴに対して張力を付与し、テープＴの引き出しを抑制することができる。
【００４９】
また、図８及び図９において、テープディスペンサ１１０は、並列に配された二つの開口１５Ｕ，１５Ｄを有するテープ保持部１１を備えるテープ引出し抑制具１０が、回転体支持部１０５側を向くように台座部１０４の上面に、止着部１２を取り付けたものとして示されている。この際、テープＴの先端Ｔａは、図９中に一点鎖線で示すように、たとえば、テープ保持部１１に設けられた上方の開口１５Ｕを挿通するものとすることができる。
【００５０】
これにより、このテープディスペンサ１１０では、テープ引出し抑制具１０によってテープＴを、回転体支持部１０５寄りにて低い位置に引き下げるように保持してテープＴに対して張力を付与し、テープＴの引き出しを抑制することができる。
【００５１】
さらに、図１０及び図１１において、テープディスペンサ１２０は、並列に配された二つの開口１５Ｕ，１５Ｄを有するテープ保持部１１を備えるテープ引出し抑制具１０が、切断刃架台部１０６側を向くように台座部１０４の上面に、止着部１２を取り付けたものとして示されている。この際、テープＴの先端Ｔａは、図１１中に一点鎖線で示すように、たとえば、テープ保持部１１に設けられた上方の開口１５Ｕを挿通するものとすることができる。
【００５２】
これにより、このテープディスペンサ１２０では、テープ引出し抑制具１０によってテープＴを、切断刃架台部１０６寄りにて低い位置に引き下げるように保持してテープＴに対して張力を付与し、テープＴの引き出しを抑制することができる。
【００５３】
以上のように、本考案に係るテープディスペンサ１００，１１０，１２０は、テープの厚みや種類に応じてテープ引出し抑制具１０（２０，３０，４０）の位置を自由に選択して取り付けることができる。また、テープ引出し抑制具１０（２０，３０，４０）は低い位置に設けられるものであるので、テープ引出し抑制具１０（２０，３０，４０）を使用しない（テープ保持部の開口にテープを挿通させない）場合であっても邪魔になることはなく、何ら支障なく使用することができる。
【００５４】
なお、本実施形態では、リール１０２上にテープロールＴを１個のみ装着するテープディスペンサについて説明したが、本発明はこれに限定されることなく、図示しないが、切断刃１０３やリール１０２の幅を広げて、リール上にテープロールを複数個装着するように構成してもよい。また、この際、テープロールは幅の異なるものが装着できるように構成してもよい。
【符号の説明】
【００５５】
Ｔ  テープ（テープロール）、１０，２０，３０，４０  テープ引出し抑制具、１１  テープ保持具、１２，４２  止着部、１２ｍ  装着面、１３  折り筋、１５Ｕ  上部開口、１５Ｄ  下部開口、２１  粘着層、２２  剥離紙、３１  マグネット、４２ｓ  側面、１００，１１０，１２０  卓上型テープディスペンサ、１０１  ディスペンサ本体、１０２  回転体（リール）、１０３  切断刃、１０４  台座部、１０５  回転体支持部、１０６  切断刃架台部、１０７  底面。
【図１】
0003226065.tif 000003
【図２】
0003226065.tif 000004
【図３】
0003226065.tif 000005
【図４】
0003226065.tif 000006
【図５】
0003226065.tif 000007
【図６】
0003226065.tif 000008
【図７】
0003226065.tif 000009
【図８】
0003226065.tif 000010
【図９】
0003226065.tif 000011
【図１０】
0003226065.tif 000012
【図１１】
0003226065.tif 000013
【手続補正書】
【提出日】令和2年2月19日(2020.2.19)
【手続補正１】
【補正対象書類名】実用新案登録請求の範囲
【補正対象項目名】請求項１１
【補正方法】変更
【補正の内容】
【請求項１１】
上記ディスペンサ本体は、
上記回転体を回転可能に保持する一方の位置に設けられた回転体支持部と、
上記切断刃を支持する他方の位置に設けられた切断刃架台部と、
上記回転体支持部と前記切断刃架台部とに連設された台座部と、
から構成され、
上記テープ引出し抑制具が、前記切断刃架台部に取り付けられていることを特徴とする請求項１０に記載の卓上型テープディスペンサ。
【手続補正２】
【補正対象書類名】実用新案登録請求の範囲
【補正対象項目名】請求項１２
【補正方法】変更
【補正の内容】
【請求項１２】
上記ディスペンサ本体は、
上記回転体を回転可能に保持する一方の位置に設けられた回転体支持部と、
上記切断刃を支持する他方の位置に設けられた切断刃架台部と、
上記回転体支持部と前記切断刃架台部とに連設された台座部と、
から構成され、
上記テープ引出し抑制具は、止着部が前記ディスペンサ本体の切断刃架台部側を向くように前記台座部に取り付けられていることを特徴とする請求項１０に記載の卓上型テープディスペンサ。
【手続補正３】
【補正対象書類名】実用新案登録請求の範囲
【補正対象項目名】請求項１３
【補正方法】変更
【補正の内容】
【請求項１３】
上記ディスペンサ本体は、
上記回転体を回転可能に保持する一方の位置に設けられた回転体支持部と、
上記切断刃を支持する他方の位置に設けられた切断刃架台部と、
上記回転体支持部と前記切断刃架台部とに連設された台座部と、
から構成され、
上記テープ引出し抑制具は、止着部が前記ディスペンサ本体の回転体支持部側を向くように前記台座部に取り付けられていることを特徴とする請求項１０に記載の卓上型テープディスペンサ。